(57)【要約】【課題】  被検者の顔もしくは顔支持ユニットと装置筐体との接触を回避できるとともに、装置内部への埃等の侵入を抑制できる。【解決手段】  ノズルを介して被検眼角膜に流体を吹き付け被検眼の眼圧を測定する眼圧測定部と，被検眼の光学特性を測定する眼特性測定部とを有し，各測定部の測定光軸が上下方向に異なる高さとなるように配置された測定ユニットと、眼圧測定モードと眼特性測定モードとを切り換える測定モード切換手段と、眼特性測定部に対して少なくともノズルを前後方向に移動させノズル先端位置を使用位置と収納位置とに変更させる位置変更手段と、収納位置に位置したノズルの前方にシャッタを挿脱可能に配置するシャッタ挿脱機構と、測定モード切換手段によって切り換えられた測定モードに応じて前記位置変更手段及びシャッタ挿脱機構の動作を制御する制御手段と、を備える。【選択図】      図１
2008099968.tif 000002
【特許請求の範囲】
【請求項１】
ノズルを介して被検眼角膜に流体を吹き付ける流体吹付手段を持ち流体の吹き付けにより角膜を変形させて眼圧を測定する眼圧測定部と，被検眼の光学特性を測定する光学系を持つ眼特性測定部とを有し，各測定部の測定光軸が上下方向に異なる高さとなるように配置された測定ユニットと、
前記眼圧測定部を用いて被検眼の眼圧を測定する眼圧測定モードと，前記眼特性測定部を用いて被検眼の眼特性を測定する眼特性測定モードとを切り換える測定モード切換手段と、
前記眼特性測定部に対して少なくとも前記ノズルを前後方向に移動させノズル先端位置を使用位置と収納位置とに変更させる位置変更手段と、
前記収納位置に位置した前記ノズルの前方にシャッタを挿脱可能に配置するシャッタ挿脱機構と、
前記測定モード切換手段によって切り換えられた測定モードに応じて前記位置変更手段及びシャッタ挿脱機構の動作を制御する制御手段と、
を備えることを特徴とする眼科装置。
【請求項２】
請求項１の眼科装置は、前記シャッタの開閉を検知する開閉検知手段を備え、前記制御手段は、前記測定モード切換手段によって眼圧測定モードに切り換えられたことを受けて前記シャッタ挿脱機構を駆動させシャッタを開けるとともに，前記開閉検知手段の検知信号に基づいて前記位置変更手段を動作させ前記ノズルの先端を使用位置に位置させることを特徴とする眼科装置。
【請求項３】
請求項１の眼科装置において、前記シャッタは、上下方向に移動されることによって開閉されることを特徴とする眼科装置。
【請求項４】
請求項１の眼科装置において、前記シャッタが開放状態にある場合、前記シャッタは、前記眼圧測定部の装置筐体前面に対して後方に傾斜された状態で収納されることを特徴とする眼科装置。
【請求項５】
請求項１の眼科装置において、前記挿脱機構は、前記測定ユニットの一部に垂直方向に固定される垂直レール及び該垂直レールに対して傾斜した状態で連結される傾斜レールを有する左右一対のガイドレールと、該ガイドレールに対して前記シャッタを移動可能に連結させる移動連結部材と、を有することを特徴とする眼科装置。
【発明の詳細な説明】
【技術分野】
【０００１】
本発明は、眼圧と眼屈折力等の眼の光学特性を測定（検査）する眼科装置に関する。
【背景技術】
【０００２】
被検眼の複数の眼特性を測定する眼科装置としては、所定のノズルから被検眼角膜に対して流体を噴射することにより被検眼の眼圧を非接触にて測定する眼圧測定部の上に、被検眼の眼屈折力を測定する眼屈折力測定部が積層配置されたものが知られている（特許文献１参照）。このような装置の場合、眼圧測定部と眼屈折力測定部とを一体的に上下方向に移動させることにより、眼圧測定と眼屈折力測定とを各々行うことができる構成となっている。また、眼圧測定部のノズルを前後方向に移動可能とし、眼圧測定部の測定光軸と眼屈折力測定部の測定光軸とを同軸とした構成の眼科装置も知られている（特許文献２参照）。
【特許文献１】特開平１−２６５９３７号公報
【特許文献２】特開２００４−３１３７５８号公報
【発明の開示】
【発明が解決しようとする課題】
【０００３】
ところで、眼圧測定は、眼屈折力測定に対して被検眼との作動距離が狭い（短い）状態で行われる。このような構成においては装置前面が、被検者や顔支持ユニット（例えば、額当て等）に接触することを避けるため、通常はノズル部分のみを前方（被検眼側）に突出した構成にて測定を行う。しかしながら、眼圧測定部と眼屈折力測定部とを有した複合装置の場合、ノズルが突出していると被検眼の屈折力を測定する際にノズル部分が被検者や顔支持ユニットに接触してしまう。また、特許文献1のように眼圧測定部の前面と眼屈折力測定部前面とを同一面とするような構成の場合、眼圧測定の際に装置前面が被検者や顔支持ユニットに接触しやすい。また、特許文献２のような構成の眼科装置の場合、眼屈折力測定時にはノズルが収納されるため、測定時における装置の接触を抑制することが可能であるが、ノズルを収納した際に装置全面に開口が生じてしまい、ここから装置内部に埃等が入り込み、測定精度を下げる要因となりやすい。
【０００４】
本発明は、上記問題点を鑑み、被検者の顔もしくは顔支持ユニットと装置筐体との接触を回避できるとともに、装置内部への埃等の侵入を抑制できる眼科装置を提供することを技術課題とする。
【課題を解決するための手段】
【０００５】
上記課題を解決するために、本発明は以下のような構成を備えることを特徴とする。
【０００６】
（１）  ノズルを介して被検眼角膜に流体を吹き付ける流体吹付手段を持ち流体の吹き付けにより角膜を変形させて眼圧を測定する眼圧測定部と，被検眼の光学特性を測定する光学系を持つ眼特性測定部とを有し，各測定部の測定光軸が上下方向に異なる高さとなるように配置された測定ユニットと、
前記眼圧測定部を用いて被検眼の眼圧を測定する眼圧測定モードと，前記眼特性測定部を用いて被検眼の眼特性を測定する眼特性測定モードとを切り換える測定モード切換手段と、
前記眼特性測定部に対して少なくとも前記ノズルを前後方向に移動させノズル先端位置を使用位置と収納位置とに変更させる位置変更手段と、
前記収納位置に位置した前記ノズルの前方にシャッタを挿脱可能に配置するシャッタ挿脱機構と、
前記測定モード切換手段によって切り換えられた測定モードに応じて前記位置変更手段及びシャッタ挿脱機構の動作を制御する制御手段と、
を備えることを特徴とする。
（２）  （１）の眼科装置は、前記シャッタの開閉を検知する開閉検知手段を備え、前記制御手段は、前記測定モード切換手段によって眼圧測定モードに切り換えられたことを受けて前記シャッタ挿脱機構を駆動させシャッタを開けるとともに，前記開閉検知手段の検知信号に基づいて前記位置変更手段を動作させ前記ノズルの先端を使用位置に位置させることを特徴とする。
（３）  （１）の眼科装置において、前記シャッタは、上下方向に移動されることによって開閉されることを特徴とする。
（４）  （１）の眼科装置において、前記シャッタが開放状態にある場合、前記シャッタは、前記眼圧測定部の装置筐体前面に対して後方に傾斜された状態で収納されることを特徴とする。
（５）  （１）の眼科装置において、前記挿脱機構は、前記測定ユニットの一部に垂直方向に固定される垂直レール及び該垂直レールに対して傾斜した状態で連結される傾斜レールを有する左右一対のガイドレールと、該ガイドレールに対して前記シャッタを移動可能に連結させる移動連結部材と、を有することを特徴とする。
【発明の効果】
【０００７】
本発明によれば、被検者の顔もしくは顔支持ユニットと装置筐体との接触を回避できるとともに、装置内部への埃等の侵入を抑制し、安定した測定精度を得ることができる。
【発明を実施するための最良の形態】
【０００８】
本発明の一実施形態について図面に基づいて説明する。なお、本実施形態では、眼圧、眼屈折力及び角膜形状を測定する眼科装置を例として説明する。図１は、本実施形態に係る眼科装置の全体構成を説明する構成図である。図１（ａ）は、眼屈折力・角膜形状測定時の状態を表し、図１（ｂ）は、眼圧測定時の状態を表す。
【０００９】
眼科装置は、基台１と、基台１に取り付けられた顔支持ユニット２と、基台１上に移動可能に設けられた移動台３と、移動台３に移動可能に設けられた測定ユニット４を備える。測定ユニット４は、眼屈折力及び角膜形状を測定するための眼屈折力・角膜形状測定部４ａ（以下、レフ・ケラト測定部と記す）と、レフ・ケラト測定部４ａの上に位置するように積層配置され、非接触で被検眼Ｅの眼圧を測定するための眼圧測定部４ｂとを持つ。このとき、測定ユニット４には、レフ・ケラト測定部４ａの測定光軸Ｌａと眼圧測定部４ｂの測定光軸Ｌｂの高さが異なるようにレフ・ケラト測定部４ａと眼圧測定部４ｂが配置されている。
【００１０】
測定ユニット４は、移動台３に設けられたＹ駆動部６により、被検眼に対して上下方向（図１に示すＹ方向）に移動される。また、Ｙ駆動部６は、眼圧測定モードとレフ・ケラト測定モード（眼特性測定モード）の切換に応じて、測定ユニット４を被検眼に対してＹ方向に移動させレフ・ケラト測定部４ａの測定光軸Ｌａと眼圧測定部４ｂの測定光軸Ｌｂのいずれかを顔支持ユニット２にて固定された被検者の被検眼Ｅとほぼ同じ高さに合わせる役割を有する。このため、Ｙ駆動部６の駆動量は、少なくとも測定光軸Ｌａと測定光軸Ｌｂとの間隔以上は確保する必要がある。
【００１１】
また、測定ユニット４は、Ｙ駆動部６の上に設けられたＸＺ駆動部７により、被検眼Ｅに対して左右方向（Ｘ方向）、前後（作動距離）方向（Ｚ方向）に移動される。これにより、測定ユニット４は、３次元方向に移動可能となる。
【００１２】
また、眼圧測定部４ｂは、駆動部８の駆動によりレフ・ケラト測定部４ａに対してＺ方向に移動可能に配置されており、駆動部８は、眼圧測定モードの際には眼圧測定部４ｂを被検眼Ｅに近づく方向に移動させ、レフ・ケラト測定モードの際には眼圧測定部４ｂを被検眼Ｅから遠ざかる方向に移動させるために用いられる。
【００１３】
移動台３は、検者によるジョイスティック５の操作により、基台１上をＸ方向及びＺ方向に移動される。また、検者による回転ノブ５ａの回転操作によってＹ駆動部６が駆動されると、測定ユニット４がＹ方向に移動される。また、ジョイスティック５の頂部には、測定開始スイッチ５ｂが設けられている。また、移動台３には、表示モニタ４０が設けられている。
【００１４】
また、１５１は測定ユニット４の前面に形成される開口部１８０を覆う（塞ぐ）ためのシャッタパネルであり、眼圧測定部４ｂを使用しない状態（ノズル６３が装置内部に退避し収納されている状態）において、駆動部８による眼圧測定部４ｂの前後移動に連動して開閉（挿脱）可能な構成となっている。図２は、本実施形態に係る眼科装置に設けられたシャッタ開閉機構を斜め上方よりみたときの斜視図であり、図２（ａ）はシャッタが閉じられた状態を示す図、図２（ｂ）はシャッタが開かれた状態を示す図である。収納位置に位置するノズル６３の前方に配置されるシャッタ開閉機構１５０は、平板上のシャッタパネル１５１（以下、シャッタと略する）と、左右一対のガイドレールである垂直レール１５２ａ及び傾斜レール１５２ｂと、シャッター１５１に取り付けられ垂直レール１５２ａ及び傾斜レール１５２ｂに沿って移動される第１ローラ１５３ａ及び第２ローラ１５３ｂと、シャッター１５１を開閉させるために駆動される駆動機構としてのモータ１５４と、モータ１５４の回転軸及び複数あるローラ１５３のうちの一個に連結されるクランクアーム１５５と、を持つ。なお、第１ローラ１５３ａはシャッタ１５１の下方に左右一対に取り付けられ、第２ローラ１５３ａはシャッタ１５１の上方に左右一対に取り付けられている。また、垂直レール１５２ａはレフ・ケラト測定部４ａの上面部及び開口部１８０の左右側部に取り付けられ、傾斜レール１５２ｂは開口部１８０の上端から後方（被検眼から遠ざかる方向）に向かって延び垂直レール１５２ａに対して傾斜した状態で連結される。また、ローラ１５３ｂは、クランクアーム１５５に対してＹＺ平面に移動可能な状態で連結されている。
【００１５】
図３は、シャッタ開閉機構１５０のモータ１５４及びクランクアーム１５５を裏側からみたときの図である。１６１はシャッタ１５１が閉鎖されたことを検知するための第１検知部としての第１フォトセンサであり、１６２はシャッタ１５１が開放されたことを検知するための第２検知部としての第２フォトセンサである。１７０はモータ１５４の回転軸及びクランクアーム１５５に連結される回転板であり、第１フォトセンサ１６１によって光学的に検知される第１遮光部材１７１と、第２フォトセンサ１６２によって光学的に検知される第２遮光部材１７２が形成されている。
【００１６】
ここで、図２（ａ）のようにシャッタパネル１５１が閉じられた状態から、モータ１５４の回転によってクランクアーム１５５が後方に回転されると、クランクアーム１５５に連結される第２ローラ１５３ｂ（図面手前側）がガイドレールに沿って移動される。このとき、左右一対の第２ローラ１５３ｂが、垂直レール１５２ａに沿って上方に移動されたのち、傾斜レール１５２ｂに沿って斜め上方向に移動されると共に、左右一対の第１ローラ１５３ａが垂直レール１５２ａに沿って上方向に垂直移動され、傾斜レール１５２ｂに達する。これにより、シャッタ１５１が開かれた状態に切り換わり、開口部１８０が現われる。
【００１７】
また、シャッタ１５１が開かれた状態から、モータ１５４の回転によってクランクアーム１５５が前方に回転されると、左右一対の第２ローラ１５３ｂが、傾斜レール１５２ｂに沿って斜め下方向に移動されたのち、垂直レール１５２ａに沿って下方向に移動されると共に、左右一対の第１ローラ１５３ａが傾斜レール１５２ｂを介して垂直レール１５２ａに達する。これにより、シャッタ１５１が閉じられた状態に切り換わり、開口部１８０が閉鎖され、装置内部への埃の侵入や指等の異物の差込を抑制する。
【００１８】
また、上記のようなシャッタ１５１の開閉動作は、第１フォトセンサ１６１及び第２フォトセンサ１６２によって検知が可能であり、シャッタ１５１が閉じられると、第１フォトセンサ１６１によって第１遮光部材１７１が検知され、検知信号が後述する制御部１１０へと出力される。また、シャッタ１５１が開かれると、第２フォトセンサ１６２によって第２遮光部材１７２が検知され、検知信号が制御部１１０へと出力される。また、第１フォトセンサ１６１及び第２フォトセンサ１６２の両方からの検知信号がない状態では、シャッタ１５１が開閉動作中として制御部１１０によって判定される。
【００１９】
なお、開口部１８０は、ノズル６３と、後述する光源９０や光検出器９６等を含む角膜変形検出及び作動距離検出用光学系９８の少なくとも一部を収納するノズルヘッド１９０が被検眼方向にせり出すことができる程度の大きさが確保されている。また、ノズルヘッド１９０は、被検眼の鼻等への接触を防ぐため、被検眼方向に向かってテーパ状に細くなるような外部形状を有する。
この場合、シャッタ１５１が開かれた状態で、駆動部８の駆動により眼圧測定部４ｂが被検眼方向に移動されると、ノズルヘッド１９０が開口部１８０から迫り出した状態となる（図２（ｂ）参照）。また、図２（ａ）は、ノズルヘッド１９０が眼圧測定部４ｂの筐体内に収納された状態（退避された状態）を示す図であり、ノズルヘッド１９０の前方にシャッタ１５１が挿入され、開口部１８０が閉じられた状態となっている。
【００２０】
以下、本実施形態の眼科装置の光学系、眼圧測定部４ｂの流体噴射機構、及び本装置の制御系の構成について説明する。図４は、レフ・ケラト測定部４ａと眼圧測定部４ｂの光学系及び制御系の構成について説明するための図である。
【００２１】
まず、眼屈折力測定光学系と角膜形状測定光学系を持つレフ・ケラト測定部４ａの光学系について説明する。１０は被検眼Ｅの眼屈折力を測定するための眼屈折力測定光学系である。測定光学系１０は、眼Ｅの瞳孔中心部を介して眼Ｅの眼底Ｅｆにスポット状の測定指標を投影する投影光学系１０ａと、眼底Ｅｆから反射された眼底反射光を瞳孔周辺部を介してリング状に取り出し、二次元撮像素子１２にリング状の眼底反射像を撮像させる受光光学系１０ｂと、ビームスプリッタ１３と、対物レンズ１４と、を含む。ビームスプリッタ１３は、投影光学系２に設けられた測定光源２ａから発せられた測定光束を反射して被検眼方向に向かわせ、被検眼眼底にて反射された測定光束を透過し受光光学系３方向へと向かわせる。なお、撮像素子１２からの出力は、制御部１１０に入力される。
【００２２】
２９はダイクロイックミラーであり、その透過方向には測定光学系１０が配置され、その反射方向には対物レンズ３６、ダイクロイックミラー３５、全反射ミラー３４が配置されている。
【００２３】
ここで、全反射ミラー３４の反射方向には、、固視標呈示用可視光源３１，固視標を持つ固視標板３２，投光レンズ３３，を含み、被検眼の固視させるための固視標呈示光学系３０が配置されている。ここで、光源３１及び固視標板３２は、光軸方向に移動されることにより、被検眼Ｅの雲霧を行う。
【００２４】
また、５０は観察光学系であり、固視標呈示光学系３０と共用されるダイクロイックミラー２９及び対物レンズ３６と、可視光を透過して赤外光を反射するダイクロイックミラー３５と、撮像レンズ５１と、二次元撮像素子５２を備える。撮像素子５２からの出力は、制御部１１０に入力される。なお、ダイクロイックミラー２９は、固視標呈示光学系３０からの固視標光束を眼Ｅに導き、被検眼Ｅの前眼部からの反射光を観察光学系５０に導くと共に、測定光学系１０に用いられる測定光束の波長を透過する特性を有する。
【００２５】
眼Ｅの前眼部の前方には、眼Ｅの角膜Ｅｃにリング指標を投影するための近赤外光を発するリング指標投影光学系４５が配置されており、被検眼の角膜形状を測定するための測定指標、被検眼に対するアライメント、及び前眼部照明として用いられる。
【００２６】
これにより、被検眼Ｅの前眼部像は二次元撮像素子５２により撮像され、モニタ４０上に表示される。なお、この観察光学系５０は、被検眼Ｅの角膜Ｅｃ上に形成されるリング指標Ｒを撮像する撮像光学系を兼ね、制御部１１０によりリング指標像の位置が検出可能である。
【００２７】
次に、眼圧測定部４ｂの空気（流体）吹付機構を図４に基づいて説明する。６１は空気圧縮用のシリンダである。６２はピストンであり、ロータリソレノイド６８（図２参照）の駆動力によってシリンダ６１内を移動する。ピストン６２の移動によりシリンダ６１内で圧縮された空気は、ノズル６３を介して被検眼Ｅの角膜Ｅｃに向けて噴射される。６４はノズル６３を保持する透明なガラス板である。６５はノズル６３の背後に設けられた透明なガラス板である。ガラス板６５の背後には、後述する観察及びアライメントのための光学系が配置されている。６６はシリンダ６１内の圧力を検出する圧力センサである。圧力センサ６６からの検出信号は、制御部１１０に入力され、眼圧値の算出に利用される。
【００２８】
次に、眼圧測定部４ｂの光学系について説明する。なお、眼圧測定部４ｂを使用する場合（眼圧測定時）は、レフ・ケラト測定部４ａの最前面に対して眼圧測定部４ｂに設けられたノズル６３が被検眼Ｅ側にせり出した状態にて使用される。
【００２９】
７０は前眼部照明用の赤外光源であり、ノズル６３の軸線と一致する光軸Ｌｂを中心に４個配置されている。光源７０による被検眼Ｅの前眼部像は、光軸Ｌｂ上に配置されたガラス板６５，ハーフミラー７１，対物レンズ７２，ダイクロイックミラー７３及びフィルタ７４を介して、二次元撮像素子７５により撮像される。なお、ダイクロイックミラー７３は、赤外光を透過し可視光を反射する特性を持つ。また、フィルタ７４は、光源７０及び後述する光源８０の光を透過し後述する光源９０の光を透過しない特性を持つ。二次元撮像素子７５により撮像された前眼部像は、制御部１１０へ入力されたのちに表示モニタ４０上に表示される。
【００３０】
８０はＸ方向及びＹ方向のアライメント用の赤外光源であり、その光は投影レンズ８１，ハーフミラー７１及びガラス板６５を介して、角膜Ｅｃに正面から投影される。光源８０による角膜反射像は、ガラス板６５からフィルタ７４までを介して撮像素子７５に撮像される。撮像素子７５からの撮像信号は、制御部１１０へと入力され、Ｘ方向及びＹ方向のアライメントに利用される。８５は固視標投影用の可視光源であり、光源８５により照明された固視標８６の光は、投影レンズ８７，ダイクロイックミラー７３，対物レンズ７２，ハーフミラー７１及びガラス板６５を介して、被検眼Ｅに向かう。
【００３１】
９０は角膜Ｅｃの変形状態検出用の赤外光源であり、光源９０による光は、コリメータレンズ９１により略平行光束とされて角膜Ｅｃに投影される。光源９０による角膜反射像は、受光レンズ９２，フィルタ９３，ハーフミラー９４及びピンホール板９５を介して、光検出器９６により受光される。フィルタ９３は、光源９０の光を透過し光源７０及び光源８０の光を透過しない特性を持つ。これら光学系は、角膜Ｅｃが所定の変形状態（偏平状態）のときに光検出器９６の受光量が最大になるように配置されている。光検出器９６からの検出信号は、制御部１１０へと入力され、眼圧値の算出に用いられる。
【００３２】
また、光源９０及びコリメータレンズ９１はＺ方向のアライメント検出の指標投影系に共用され、光源９０による角膜反射像は、受光レンズ９２からハーフミラー９４を介してＰＳＤやラインセンサ等の一次元位置検出素子９７に入射する。そして、位置検出素子９７からの検出信号は、制御部１１０に入力され、Ｚ方向のアライメント検出に利用される。すなわち、被検眼Ｅ（角膜Ｅｃ）がＺ方向に移動すると、光源９０による角膜反射像の入射位置も位置検出素子９７上を移動するため、位置検出素子９７からの検出信号に基づき被検眼Ｅに対するＺ方向のアライメント状態を検出することができる。
【００３３】
なお、図４においては、説明の便宜上、これら角膜変形検出及び作動距離検出の光学系を上下に配置しているように図示したが、本来は被検眼に対して左右方向に配置されているものである。
【００３４】
次に、制御系の構成について説明する。装置全体の制御や測定値の算出等を行う制御部１１０は、レフ・ケラト測定部４ａや眼圧測定部４ｂに備わる各部材の他、表示モニタ４０、Ｙ駆動部６、ＸＺ駆動部７、駆動部８、測定結果等を記憶するメモリ１１１、回転ノブ５ａ、測定開始スイッチ５ｂ、モータ１５４、第１フォトセンサ１６１、第２フォトセンサ１６２、眼圧測定部４ｂのせり出し動作を検知する検知部１１５、眼圧測定部４ｂの退避動作を検知する検知部１１６、及び測定モード選択スイッチ１１２、等が接続されている。ここで、制御部１１０は、自動もしくは手動によって切換えられる測定モードに応じて駆動部８及びモータ１５４の動作を制御する（以下に、具体例を示す）。
【００３５】
以上のような構成を備える眼科装置において、その動作について説明する。本装置は、測定モード選択スイッチ１１２の使用により、レフ・ケラト測定部４ａを用いて眼屈折力及び角膜形状のみを測定する第１モード、眼圧測定部４ｂを用いて眼圧のみを測定する第２モード、及び眼屈折力，角膜形状及び眼圧を連続測定する第３モードの３種類のモードを選択することができる。なお、第３モードでは、先に眼屈折力及び角膜形状を測定するモード（眼特性測定モード）が実行（選択）された後、眼圧を測定するモード（眼圧測定モード）に自動的に切換えられる。以下では、第３モードについて説明する。
【００３６】
測定モード選択スイッチ１１２により第３モードが選択された場合、眼特性測定モードとしてレフ・ケラト測定が初めに行われるが、この場合、制御部１１０は、レフ・ケラト測定をスムーズに開始できるように、測定ユニット４の高さを初期化させておく。すなわち、制御部１１０は、Ｙ駆動部６を駆動させることによりレフ・ケラト測定部４ａの測定光軸Ｌａと被検眼Ｅがほぼ同じ高さになるようにしておく（ラフで構わない）。例えば、測定光軸Ｌａを所定の高さ（例えば、アイレベルマーカの高さ）に移動させておく。
【００３７】
また、制御部１１０は、予め駆動部８を駆動させて眼圧測定部４ｂをレフ・ケラト測定部４ａに対して装置本体側に後退（被検眼Ｅから遠ざかる方向に移動させ）、させ、ノズルヘッド１９０を装置内部に収納した状態にする。また、制御部１１０は、モータ１５４を駆動させることにより、シャッタ１５１を閉じておく。このため、ノズルヘッド１９０を装置内部に収納した際に測定ユニット４の前面に形成される開口部１８０は、シャッタ１５１により塞がれた状態となっている。これにより、レフ・ケラト測定が可能な状態となる（図１（ａ）参照）。
【００３８】
ここで、被検眼Ｅに対する測定ユニット４のＸ，Ｙ及びＺ方向のアライメントを行う。検者は、モニタ４０を観察しながらジョイスティック５及び回転ノブ５ａを操作し、前眼部像Ｆがモニタ４０に表示される（図４参照）ようにラフなアライメントを行う。その後、検者は、表示モニタ４０に表示されるリング像Ｒを見ながらジョイスティック５を操作して、リング像ＲとレチクルマークＬＴが同心円になるように測定ユニット４の位置を上下左右方向に調整する。また、インジゲータを参考にしながら（もしくはリング像Ｒが最も細くなるように）、測定ユニット４の作動距離方向の位置を調整したのち、測定開始スイッチ５ｂを押して測定を開始する。なお、制御部１１０は、所定の手法によって被検眼に対するアライメント状態を検出し、検出結果に基づいて被検眼に対して測定ユニット４を自動的に位置合わせする自動アライメント制御を動作させるようにしてもよい。
【００３９】
ここで、測定開始スイッチ５ｂより測定開始のトリガ信号が発せられると、制御部１１０は、まず、撮像素子２２にて撮像されたリング指標像Ｒの形状に基づいて眼Ｅの角膜形状を測定し、次に、固視標呈示光学系３０によって被検眼に雲霧をかけた状態で測定光学系１０を動作させて被検眼の眼屈折力を測定する。そして、制御部１１０は、測定結果をモニタ４０に表示する。
【００４０】
以上のようにして、角膜形状測定及び眼屈折力測定が終了すると、第３モードでは制御部１１０が眼圧測定モードへの切換信号を自動的に発し、眼圧を測定するモードに切換える。眼圧測定モードへの切換信号が入力されると、制御部１１０は、Ｙ駆動部６を駆動させることにより測定ユニット４を下方向に移動させ、眼圧測定部４ｂの測定光軸Ｌｂと被検眼Ｅとがほぼ同じ高さになるようにする（ラフで構わない）（図１（ｂ）参照）。
【００４１】
また、眼圧測定モードに切換えられたことを受けて、制御部１１０は、モータ１５４を駆動させることによりシャッタ１５１を垂直レール１５２ａから傾斜レール１５２ｂへ移動させる。そして、制御部１１０は、第２フォトセンサ１６２からの検知信号が入力されたら、シャッタ１５１が開かれたと判定し、モータ１５４の駆動を停止させる。
【００４２】
また、制御部１１０は、第２フォトセンサ１６２からの検知信号に基づいて、駆動部８を駆動させることにより、眼圧測定部４ｂを被検眼Ｅへ近づく方向に移動させ、ノズル６３の先端を収納位置からレフ・ケラト測定部４ａの筐体前面より被検者側の使用位置（測定位置）に位置させる（せり出させる）。そして、検知部１１５からの検知信号が入力されたら、ノズル６３がせり出されたと判定し、駆動部８の駆動を停止させる。これは、レフ・ケラト測定部４ａの筐体前面が被検者の顔（例えば、鼻）に当接しないようにするとともに、被検眼と装置との作動距離を眼圧測定に合わせて短くするためである。これにより、眼圧測定が可能な状態となる。
【００４３】
なお、眼圧測定部４ｂを被検眼側に移動させる場合、ノズル６３の先端が被検眼Ｅに接触する可能性があるので、好ましくは、一旦、測定ユニット４を被検眼Ｅから遠ざかる方向の後方位置へ一旦移動した後（例えば、最も後方側に設定されている基準位置まで後退させた後）、ノズル６３の先端をレフ・ケラト測定部４ａの前面より一定量だけ突出させる。
【００４４】
その後、検者によって再度アライメントが行われる。ここで、制御部１１０は、眼圧測定モードへの切換信号により、モニタ４０に表示する画像を二次元撮像素子７５からの撮像信号に切換えると共に、撮像素子７５の光源８０による角膜反射像の検出結果に基づき、ＸＺ駆動部７及びＹ駆動部６を駆動制御し、Ｘ方向及びＹ方向の詳細なアライメントを行う。また、光源９０による角膜反射像が位置検出素子９７に入射する状態になると、制御部１１０は、この検出結果に基づいてＸＺ駆動部７を駆動制御し、Ｚ方向の詳細なアライメントを行う。
【００４５】
被検眼Ｅに対する眼圧測定部４ｂのＸ，Ｙ及びＺ方向のアライメントがそれぞれ許容範囲に入ると、制御部１１０は、自動的にトリガ信号を発し（またはアライメント完了の旨をモニタ４０に表示することにより、検者が測定開始スイッチ５ｂを押してトリガ信号を入力し）、ロータリソレノイド６８を駆動させる。ロータリソレノイド６８の駆動によりピストン６２が移動されると、シリンダ６１内の空気が圧縮され、圧縮空気がノズル６３から角膜Ｅｃに向けて吹き付けられる。角膜Ｅｃは、圧縮空気の吹き付けにより徐々に変形し、扁平状態に達したときに光検出器９６に最大光量が入射される。制御部１１０は、圧力センサ６６からの出力信号と光検出器９６からの出力信号とに基づき眼圧値を求め、測定結果をモニタ４０に表示する。
【００４６】
上記のようにして測定が終了し、所定の測定完了信号が発せられたら、制御部１１０は、駆動部８を駆動させることにより、眼圧測定部４ｂを被検眼Ｅから遠ざかる方向に移動（後退）させる。そして、検知部１１６からの検知信号が入力されたら、ノズル６３が収納されたと判定し、駆動部８の駆動を停止させる。また、制御部１１０は、検知部１１６からの検知信号に基づいてモータ１５４を駆動させることにより、シャッタ１５１を傾斜レール１５２ｂから垂直レール１５２ａへ移動させる。そして、制御部１１０は、第１フォトセンサ１６１からの検知信号が入力されたら、シャッタ１５１が閉じられたと判定し、モータ１５４の駆動を停止させる。
【００４７】
以上のような構成とすれば、レフ・ケラト測定を行う際には、ノズル６３が眼圧測定部４ｂの筐体内に収納されるため、ノズル６３が被検眼の額等に接触するのを回避できる。また、ノズル６３が通過する開口部１８０がシャッタ１５１に閉じられることによって、レフ・ケラト測定を受ける被検者によって眼圧測定部４ｂの筐体内が見えてしまったり、埃等が開口部１８０からの装置内部へ侵入することを防ぐことができる。
【００４８】
また、本実施形態のように、シャッタ１５１を上下方向に移動させるような構成とすれば、装置筐体が左右方向に大型化されるのを防止することができる。また、シャッタ１５１が開かれる際に、図１（ｂ）に示すように、測定ユニット４の筐体の被検眼側前面に対して傾斜された状態でシャッタ１５１を収納（配置）することで、測定ユニット４の筐体の被検者側上方部分を小型化できる。すなわち、測定ユニット４の筐体の被検眼側前面上部に傾斜面（傾斜部）を設けることが可能となる。したがって、被検眼の眼圧測定時において、検者が被検者の開瞼作業を行う場合、検者の手が入れやすくなり、開瞼作業が容易となる。
【００４９】
なお、以上の説明においては、眼圧測定部４ｂ全体をレフ・ケラト測定部４ａに対して作動距離方向に移動させるような構成としたが、これに限るものではなく、レフ・ケラト測定部４ａに対して少なくともノズル６３を前後方向に移動させノズル先端位置を使用位置と収納位置とに変更させる構成であればよい。
【図面の簡単な説明】
【００５０】
【図１】本実施形態に係る眼科装置の全体構成を説明する構成図である。
【図２】本実施形態に係る眼科装置に設けられたシャッタ開閉機構を斜め上方よりみたときの斜視図である。
【図３】本実施形態に係るシャッタ開閉機構のモータ及びクランクアームを裏側からみたときの図である。
【図４】レフ・ケラト測定部と眼圧測定部の光学系及び制御系の構成について説明するための図である。
【符号の説明】
【００５１】
４  測定ユニット
４ａ  レフ・ケラト測定部
４ｂ  眼圧測定部
６  Ｙ駆動部
８  駆動部
６３  ノズル
１１０  制御部
１１２  測定モード選択スイッチ
１１５  検知部
１１６  検知部
１５０  シャッタ開閉機構
１５１  シャッタパネル
１５２ａ  垂直レール
１５２ｂ  傾斜レール
１５３  ローラ
１５４  モータ
１６１  第一フォトセンサ
１６２  第二フォトセンサ
【図１】
2008099968.tif 000003
【図２】
2008099968.tif 000004
【図３】
2008099968.tif 000005
【図４】
2008099968.tif 000006